(57)【特許請求の範囲】
【請求項１】
間接照明用構造体の構成部品として室内の壁面上部や天井の段差部分に設置される軽量鉄骨下地およびそれに張着される石膏ボードからなるユニット部品であって、
石膏ボード製で横長矩形状の前面板と、
前記前面板の上辺に沿って折り返されて壁側に延伸する石膏ボード製で横長矩形状の水平連結板と、
前記水平連結板の延伸側の辺に沿って折り返されて垂下する石膏ボード製で横長矩形状の内面板と、
前記内面板の下辺に沿って折り返されて内側に水平に延伸する石膏ボード製で横長矩形状の底板と、
断面が幅広部および幅狭部からなる軽量鉄骨であって前記底板の下面の短手方向に幅広部が固着される底板補強材と、
前記底板補強材の前記前面板とは反対側の一端が直角に折り返されるように上方向に延伸する取付補強材と、からなり、
前記前面板および前記内面板は互いに密着して固着され、または前記底板補強材の他端が直角に折り返されるように上方向に延伸する前面板補強材の両側を前記前面板および前記内面板が密着して固着され、
前記前面板の下辺および前記底板補強材の下側は同一レベルとなるように形成され、
前記前面板、前記水平連結板、前記内面板および前記底板の長手方向の一端縁には前記底板補強材および前記取付補強材、またはそれらに加えて前記前面板補強材が取着されるとともに、平面から見て一直線状となっている該一端縁は該底板補強材の長手方向に沿った中心線に略一致して雄型ジョイント部が形成され、該前面板、該水平連結板、該内面板および該底板の長手方向の平面から見て一直線状となっている他端縁は該底板補強材よりも外側に突き出した状態となって雌型ジョイント部が形成され、一の前記ユニット部品と他の前記ユニット部品とは雄型ジョイント部と雌型ジョイント部が嵌合して接続され、
前記底板補強材、前記前面板補強材および前記取付補強材は軽量溝型鋼、または軽量角パイプであり、該軽量溝型鋼にあってはその溝内に石膏ボードが埋入されている、ことを特徴とする間接照明用構造体のユニット部品。
【請求項２】
少なくとも前記前面板および前記水平連結板の折り返し部分は、石膏ボードの表面の原紙を残して形成されるＶ字溝が直角に折り返されている、ことを特徴とする請求項１に記載の間接照明用構造体のユニット部品。
【請求項３】
前記前面板、前記水平連結板、前記内面板および前記底板の長さは石膏ボードの規格幅（Ｗ）と同一の９１０ｍｍまたは１，０００ｍｍであり、前記底板補強材および前記取付補強材、または前記底板補強材、前記取付補強材および前記前面板補強材は略Ｗ／（ｎ＋０．５）（ただし、ｎは整数でｎ≧２。）ピッチに取着されている、ことを特徴とする請求項１または請求項２に記載の間接照明用構造体のユニット部品。
【請求項４】
前記前面板は下方に延伸し壁側に折り返されて前記底板補強材の下面に張着される底面天井板が形成され、前記水平連結板と前記内面板の折り返し部分、該内面板と前記底板の折り返し部分、および該前面板および該底面天井板の折り返し部分は、石膏ボードの表面または裏面の原紙を残して形成されるＶ字溝が直角に折り返されている、ことを特徴とする請求項２または請求項３に記載の間接照明用構造体のユニット部品。
【請求項５】
前記底板の壁側は上方に折り返されて前記取付補強材に張着される背面板が形成され、該底板と該背面板の折り返し部分は石膏ボードの裏面の原紙を残して形成されるＶ字溝が直角に折り返されている、ことを特徴とする請求項４に記載の間接照明用構造体のユニット部品。
【請求項６】
隣接する前記底板補強材間の前記水平連結板、前記内面板および前記底板には２本の第１のスリットが前記前面板の厚さ相当分を残して等間隔に全断面に亘って貫設され、隣接する該第１のスリット間の該底板補強材で支持されていない前記底板は前記雌型ジョイント部を除き取り除かれている、ことを特徴とする請求項１ないし請求項３のいずれかに記載の間接照明用構造体のユニット部品。
【請求項７】
前記水平連結板および前記内面板には隣接する前記第１のスリット間にも１つ以上の第２のスリットが略等間隔に貫設されている、ことを特徴とする請求項６に記載の間接照明用構造体のユニット部品。
【請求項８】
前記内面板の前記第１のスリットおよび前記第２のスリットは該内面板の前面板側の原紙を残したＶ字溝で形成されている、ことを特徴とする請求項７に記載の間接照明用構造体のユニット部品。
【請求項９】
前記前面板、前記水平連結板、前記内面板および前記底板の長さは石膏ボードの規格幅（Ｗ）と同一の９１０ｍｍまたは１，０００ｍｍであり、前記底板補強材および前記取付補強材、または前記底板補強材、前記取付補強材および前記前面板補強材は略Ｗ／（ｍ＋０．５）（ただし、ｍは整数でｍ≧３。）ピッチに取着され、隣接する該底板補強材間の該水平連結板、該内面板および該底板には１本の第１のスリットが該前面板の厚さ相当分を残して等間隔に全断面に亘って貫設されている、ことを特徴とする請求項１または請求項２に記載の間接照明用構造体のユニット部品。
【発明の詳細な説明】
【技術分野】
【０００１】
本発明は、室内の壁面の上部や下り天井に設置される間接照明構造体に関し、さらに詳しくは軽量鉄骨下地（以下、本明細書では「軽鉄下地」という。）およびそれに張着される石膏ボードからなる間接照明構造体を構成するユニット部品に関する。
【背景技術】
【０００２】
従来からビル等の室内空間は天井であっても壁であっても多くの場合、軽鉄下地に石膏ボードを張着し、その上から塗装やクロス貼等による仕上げを施すことにより形成されてきた。そして、柔らかな室内空間を演出するために、室内を直接的に照明するだけでなく、間接的に照明する間接照明を併用することが行われていて、梁やダクトなどをカバーするための下り天井を利用して天井および下り天井の段差部分に間接照明を設けることも行われている。
【０００３】
ここで、従来例に係る間接照明用構造体について図１０を参照して説明する。この間接照明用構造体は、吊りボルト３９に嵌着金具を介して軽量溝形鋼の野縁受３８を吊設して、さらに野縁受３８と直交するように野縁受３８から嵌着金具を介して軽量形鋼の野縁３７を吊設して天井や下り天井の軽鉄下地とし、下り天井の軽鉄下地は延伸して間接照明構造体の一部を構成する。ついで、天井や下り天井の軽鉄下地に石膏ボードの天井板３６、下り天井板３２、背面板３１および前面板１１を張着して間接照明構造体となる。そして、必要に応じて、天井板３６、下り天井板３２、背面板３１および前面板１１に塗装やクロスで仕上げを施し、間接照明構造体の野縁受３８上に灯具４１を設置することにより、間接照明構造が完成する。なお、石膏ボードとは、石膏を芯として、 その両面をボード用原紙（以下、本明細書では「原紙」という。）で被覆成型したものをいう。
この従来例の場合、灯具４１が載置される野縁受３８の上面から下り天井板３２の表面までの距離は、下り天井板３２の厚さ１２．５ｍｍ＋野縁受３８の高さ３８ｍｍ＋野縁３７の高さ１９ｍｍ≒７０ｍｍ、となって、これに、前面板１１の高さには野縁受３８の上縁から前面板１１の天端までの距離が加算されることになる。
【０００４】
上述したように、間接照明は、室内の天井面および下り天井面の段差部分（図１０の場合）や壁面の上部に照明器具が収納されるボックス状の間接照明構造体を形成するようにして行われるが、軽鉄下地組作業や石膏ボード張着作業に手間と熟練を要していてコスト高の要因になっている。このため、これらの課題を解決するための考案が実開平６−７１６４０号公報や実用新案登録第３１７７３７８号公報に開示されている。
【０００５】
実開平６−７１６４０号公報に開示の考案は、「照明器具を載置するための野縁の施工作業を省略化するとともに、石膏ボードの施工作業をも簡略化した間接照明構造を提供する。」ことを目的としていて、その目的を達成するために「 天井面と壁面との入り隅部分に下向きに開口となるような凹部を設け、照明器具を収納可能に形成された不燃性部材たる収納体を照明器具とともに凹部に挿入固定した間接照明構造である。収納体は、照明器具を載置可能に形成されるとともに凹部の反壁面側に位置する天井面を壁面との間に間隙を有するように壁面側に延長して形成された底板と、底板の反壁面側端部を凹部内面に沿って上方に折曲させた立設板と、立設板の上端を凹部内面に沿って壁面側に向かって折曲させた天板とを備えて形成した。」構成となっている。
【０００６】
また、実用新案登録第３１７７３７８号公報に開示の考案は、本願出願人による考案であって、「建物内の間接照明のための構造体を、不燃紙を張設された石膏ボードを利用して簡便に構成することを課題」としていて、その解決手段を「建物内の壁材に装着される不燃紙張設型の背板部材の下縁に、照明器具を載置するための第１底板部材が水平に連接されて、その前縁に起立した内側アゴ板が設けられるとともに、同内側アゴ板の上縁に水平連結部材を介し連結される垂下した外側アゴ板との間には、金属性の補強材が設けられる」構成としている。
【先行技術文献】
【特許文献】
【０００７】
【特許文献１】実開平６−７１６４０号公報
【特許文献２】実用新案登録第３１７７３７８号公報
【発明の概要】
【発明が解決しようとする課題】
【０００８】
しかしながら、実開平６−７１６４０号公報に開示の考案では、天井面と壁面との入り隅部分に下向きに開口となるような凹部を設けることから、天井裏の懐の距離がある程度確保されていないと設置できず、また、構成部品点数も比較的多いことから下地まで含んだ作業に手間が掛かる傾向にあるし、天井や壁が仕上がった後からこの間接照明構造を設置することは容易ではない。
【０００９】
また、実用新案登録第３１７７３７８号公報に開示の考案では、現場施工を前提としていて、外側アゴ板、水平補強板および内側アゴ板の寸法精度の確保が困難であり、外側アゴ板および水平補強板の折り曲げ部、水平補強板および内側アゴ板の折り曲げ部が形成する線（以下、「稜線」という。）がきれいな直線とならず、後工程である塗装作業やクロス貼り作業に手間と負担を押しつける傾向となる。
【００１０】
一方で、室内空間の装飾的な効果をさらに高めるために、壁面を曲面にすることも多く行われるようになってきており、そのニーズに合わせて間接照明構造も曲面にすることが求められているが、実開平６−７１６４０号公報に開示の考案であっても実用新案登録第３１７７３７８号公報に開示の考案であってもその要望に対応できるものとなっていない。
【００１１】
そこで、本願発明が解決しようとする課題は、天井や壁が仕上がった後からであっても簡単に設置でき、しかも、きれいな稜線を得ることができるばかりでなく、曲壁面にも設置可能であり、その上、前面板の見付け幅を小さくすることで軽快感をも演出可能な間接照明構造体を構成するユニット部品を提供することにある。
【課題を解決するための手段】
【００１２】
上記課題を達成するために、本願請求項１に係る間接照明用構造体のユニット部品は、間接照明用構造体の構成部品として室内の壁面上部や天井の段差部分に設置される軽量鉄骨下地およびそれに張着される石膏ボードからなるユニット部品であって、石膏ボード製で横長矩形状の前面板と、前記前面板の上辺に沿って折り返されて壁側に延伸する石膏ボード製で横長矩形状の水平連結板と、前記水平連結板の延伸側の辺に沿って折り返されて垂下する石膏ボード製で横長矩形状の内面板と、前記内面板の下辺に沿って折り返されて内側に水平に延伸する石膏ボード製で横長矩形状の底板と、断面が幅広部および幅狭部からなる軽量鉄骨であって前記底板の下面の短手方向に幅広部が固着される底板補強材と、前記底板補強材の前記前面板とは反対側の一端が直角に折り返されるように上方向に延伸する取付補強材と、からなり、前記前面板および前記内面板は互いに密着して固着され、または前記底板補強材の他端が直角に折り返されるように上方向に延伸する前面板補強材の両側を前記前面板および前記内面板が密着して固着され、前記前面板の下辺および前記底板補強材の下側は同一レベルとなるように形成され、前記前面板、前記水平連結板、前記内面板および前記底板の長手方向の一端縁には前記底板補強材および前記取付補強材、またはそれらに加えて前記前面板補強材が取着されるとともに、平面から見て一直線状となっている該一端縁は該底板補強材の長手方向に沿った中心線に略一致して雄型ジョイント部が形成され、該前面板、該水平連結板、該内面板および該底板の長手方向の平面から見て一直線状となっている他端縁は該底板補強材よりも外側に突き出した状態となって雌型ジョイント部が形成され、一の前記ユニット部品と他の前記ユニット部品とは雄型ジョイント部と雌型ジョイント部が嵌合して接続され、前記底板補強材、前記前面板補強材および前記取付補強材は軽量溝型鋼、または軽量角パイプであり、該軽量溝型鋼にあってはその溝内に石膏ボードが埋入されている、ことを特徴としている。
なお、「前」や「内」、「垂直」や「水平」、あるいは「上方向」や「下方向」は、間接照明用構造体のユニット部品を壁や下り壁（天井の段差部分）に取り付けたときの概念であり、「壁側に延伸」とは「室内側とは逆方向に延伸」する意であって、「下り天井側に延伸」をも含む概念である。
また、本願請求項２に係る間接照明用構造体のユニット部品は、請求項１に記載の間接照明用構造体のユニット部品であって、少なくとも前記前面板および前記水平連結板の折り返し部分は、石膏ボードの表面の原紙を残して形成されるＶ字溝が直角に折り返されている、ことを特徴としている。
そして、本願請求項３に係る間接照明用構造体のユニット部品は、請求項１または請求項２に記載の間接照明用構造体のユニット部品であって、前記前面板、前記水平連結板、前記内面板および前記底板の長さは石膏ボードの規格幅（Ｗ）と同一の９１０ｍｍまたは１，０００ｍｍであり、前記底板補強材および前記取付補強材、または前記底板補強材、前記取付補強材および前記前面板補強材は略Ｗ／（ｎ＋０．５）（ただし、ｎは整数でｎ≧２。）ピッチに取着されている、ことを特徴としている。
さらに、本願請求項４に係る間接照明用構造体のユニット部品は、請求項２または請求項３に記載の間接照明用構造体のユニット部品であって、前記前面板は下方に延伸し壁側に折り返されて前記底板補強材の下面に張着される底面天井板が形成され、前記水平連結板と前記内面板の折り返し部分、該内面板と前記底板の折り返し部分、および該前面板および該底面天井板の折り返し部分は、石膏ボードの表面または裏面の原紙を残して形成されるＶ字溝が直角に折り返されている、ことを特徴としている。
また、本願請求項５に係る間接照明用構造体のユニット部品は、請求項４に記載の間接照明用構造体のユニット部品であって、前記底板の壁側は上方に折り返されて前記取付補強材に張着される背面板が形成され、該底板と該背面板の折り返し部分は石膏ボードの裏面の原紙を残して形成されるＶ字溝が直角に折り返されている、ことを特徴としている。
そして、本願請求項６に係る間接照明用構造体のユニット部品は、請求項１ないし請求項３のいずれかに記載の間接照明用構造体のユニット部品であって、隣接する前記底板補強材間の前記水平連結板、前記内面板および前記底板には２本の第１のスリットが前記前面板の厚さ相当分を残して等間隔に全断面に亘って貫設され、隣接する該第１のスリット間の該底板補強材で支持されていない前記底板は前記雌型ジョイント部を除き取り除かれている、ことを特徴としている。
さらに、本願請求項７に係る間接照明用構造体のユニット部品は、請求項６に記載の間接照明用構造体のユニット部品であって、前記水平連結板および前記内面板には隣接する前記第１のスリット間にも１つ以上の第２のスリットが略等間隔に貫設されている、ことを特徴としている。
また、本願請求項８に係る間接照明用構造体のユニット部品は、請求項７に記載の間接照明用構造体のユニット部品であって、前記内面板の前記第１のスリットおよび前記第２のスリットは該内面板の前面板側の原紙を残したＶ字溝で形成されている、ことを特徴としている。
そして、本願請求項９に係る間接照明用構造体のユニット部品は、請求項１または請求項２に記載の間接照明用構造体のユニット部品であって、前記前面板、前記水平連結板、前記内面板および前記底板の長さは石膏ボードの規格幅（Ｗ）と同一の９１０ｍｍまたは１，０００ｍｍであり、前記底板補強材および前記取付補強材、または前記底板補強材、前記取付補強材および前記前面板補強材は略Ｗ／（ｍ＋０．５）（ただし、ｍは整数でｍ≧３。）ピッチに取着され、隣接する該底板補強材間の該水平連結板、該内面板および該底板には１本の第１のスリットが該前面板の厚さ相当分を残して等間隔に全断面に亘って貫設されている、ことを特徴としている。
【発明の効果】
【００１３】
本願発明は上記の構成により以下の効果を奏する。
（１）本願発明に係る間接照明用構造体のユニット部品（以下、本明細書では単に「ユニット部品」という。）は、横長矩形状の前面板、水平連結板および内面板が一体となり、これに軽量鉄骨（以下、本明細書では単に「軽鉄」という。）製の底板補強材に裏打ちされた底板と底板補強材の一端に固着されて上方向に延伸する取付補強材とが予め工場等で組み立てられ、その上、取付補強材の幅広部が前面板に対向して延伸する構成となっているため、壁の軽鉄下地を構成する建地部材に対して壁に直交する方向からドリルビスで取付補強板を貫通させて螺着するだけでユニット部品を取着できるので、熟練工でなくとも簡単に取り付けることができる。なお、ユニット部品の取り付け後は、底板補強材に石膏ボードの天井板を螺着し、水平補強板に石膏ボードの背面板を螺着するだけで、間接照明用構造体が完成するので、間接照明用構造体の組立自体も極めて簡単、かつ容易に施工することができる。
（２）前面板の下辺および前記底板補強材の下側を同一レベル、すなわち前面板の下辺、前面板補強材の下端および取付補強材の下端を底板補強材の下側と同一レベルとなるように形成することにより、工場等から施工現場に運搬したりしても、前面板の下辺が損傷を受けることはない。
（３）予め底板補強材の下面に底面天井板、またはそれに加えて取付補強材に背面板を張着することにより、上記（２）の効果が得られるばかりでなく、「底面天井板を張着する」あるいは「底面天井板および背面板を張着する」という現場作業を省略することができる。
（４）ユニット部品の長手方向の両端部に形成された雄型ジョイント部および雌型ジョイント部を接続することにより、特に、雄型ジョイント部に前面板補強材が取着されている場合には、この前面板補強材が前面板、水平連結板および内面板が形成する雌型ジョイント部の空間に嵌合することになるので、ユニット部品同士のジョイント部では前面板および水平連結板の目違いが生じにくくなり、折り返し部分の稜線も蛇行することなく直線的なものとなる。
（５）天井や壁が仕上がった後や石膏ボード張着作業完了後であっても、壁の石膏ボードの上から取付補強材を壁軽鉄下地の建地部材に螺着するだけでユニット部品が取着でき、簡単、かつ容易に間接照明用構造体を取り付けることができる。
（６）ユニット部品の底部は、石膏ボード製の底板とその下面に幅広部が固着される底板補強材とからなり、それらに石膏ボード製の天井板が螺着されて間接照明用構造体の底部となるので、従来よりも底部の厚みを小さくでき、ユニット部品の底部に載置した照明具を目線の高さから見えないような前面板の高さとすることにより、前面板の高さは従来よりも小さくすることが可能となる。
（７）前面板および水平連結板の折り返し部分を石膏ボードの表面の原紙を残してＶ字溝を形成して直角に折り返すようにすることで、折り返し部分の稜線はよりシャープな線となって仕上がりもきれいなものとなる。
（８）ユニット部品の長さを石膏ボードの規格幅に一致させることにより、建築に用いられる基準寸法（モジュール）に合致することから、ユニット部品としての無駄となる部分が少なくなる。
（９）取付補強材、底板補強材および前面板補強材をその溝内に石膏ボードを埋入した軽量溝型鋼とし、または軽量角パイプとした場合には、その両面から石膏ボードを螺着しても、螺着に際しての締め付け過ぎによる石膏ボードのひび割れが生じない。
（１０）水平連結板、内面板および底板の隣接する底板補強材の間に２本の第１のスリットを前面板の厚さ相当分を残して等間隔に全断面に亘って貫設し、底板補強材で支持されていない独立片となった底板を取り除くことで、前面板を外方向に突き出す凸曲面とすることが可能となる。その上、第１のスリットは前面板の厚さ相当分を残して前面板自体には溝が入らない状態となっているので、前面板が形成する凸曲面は角張ることなくスムーズな状態の曲面となり、さらに底板は底板補強材で支持されているので、底板に荷重を掛けても底板を介して底板補強材に外力が伝わり当該荷重に十分耐えることができる。
（１１）さらに、水平連結板および内面板の第１のスリット間にも１つ以上の新たな第２のスリットを貫設することにより、前面板の曲面を小さな曲率半径とすることができることから、あらゆる凸曲面のニーズに対応することができる。
（１２）内面板の第１のスリットおよび第２のスリットを前面板側の原紙を残したＶ字溝で形成することとした場合には、底板が連接されていない内面板同士のいわゆる「出入りの暴れ」を防ぐことができる。
（１３）水平連結板、内面板および底板の隣接する底板補強材の間に１本の第１のスリットを前面板の厚さ相当分を残して等間隔に全断面に亘って貫設した場合には、独立片となったそれぞれの底板も底板補強材で支持されているので、前面板を外方向に向けて凹んだ状態の凹曲面とすることが可能となる。その上、第１のスリットは前面板の厚さ相当分を残して前面板自体には溝が入らない状態となっているので、前面板が形成する凹曲面は角張ることなくスムーズな状態の曲面となる。
【図面の簡単な説明】
【００１４】
【図１】実施例１、実施例３および実施例４に係るユニット部品の縦断面図である。
【図２】実施例１に係るユニット部品の平面図である。
【図３】図２におけるIII部分の拡大図である。
【図４】実施例２に係るユニット部品の縦断面図である。
【図５】実施例３に係るユニット部品の部分平面図である。
【図６】図５におけるVI部分の拡大図である。
【図７】実施例４に係るユニット部品の部分平面図である。
【図８】実施例５に係る間接照明構造体のユニット部品を使用した下り天井の施工方法を示す縦断面図である。
【図９】実施例６に係る間接照明構造体のユニット部品を使用した下り天井の施工方法を示す縦断面図である。
【図１０】従来例に係る間接照明用構造体の縦断面図である。
【発明を実施するための形態】
【００１５】
本発明を実施するための形態に係る実施例について、図１ないし図９に基づいて説明する。なお、図１ないし図９において、符号１は実施例１に係るユニット部品、符号２は実施例２に係るユニット部品、符号３は実施例３に係るユニット部品、符号４は実施例４に係るユニット部品、符号５は実施例５に係るユニット部品、符号６は実施例６に係るユニット部品、符号７は雄型ジョイント部、符号８は雌型ジョイント部、符号１１は前面板、符号１２は水平連結板、符号１３は内面板、符号１４は底板、符号１５は底面天井板、符号２１は前面板補強材、符号２２は底板補強材、符号２３は取付補強材、符号２３１は取付補強材本体、符号２３２は取付補強材の埋入体、符号２５は第１のスリット、符号２６は第２のスリット、符号２６１はＶ字溝、符号２６２は前面板の原紙、符号３１は背面板、符号３２は下り天井板、符号３３は定規野縁受、符号３４１は第１の曲線定規野縁受、符号３４２は第２の曲線定規野縁受、符号３５は壁軽鉄下地の建地、符号３６は天井板、である。
【実施例１】
【００１６】
まず、実施例１に係るユニット部品１について、図１ないし図３を参照して説明する。
ユニット部品１は、石膏ボード製で横長矩形状の前面板１１と、前面板１１の上辺に沿って折り返されて壁側に延伸する石膏ボード製で横長矩形状の水平連結板１２と、水平連結板１２の延伸側の辺に沿って折り返されて垂下する石膏ボード製で横長矩形状の内面板１３と、内面板１３の下辺に沿って折り返されて内側に水平に延伸する石膏ボード製で横長矩形状の底板１４と、前面板１１が下方に延伸し壁側に折り返されて水平に延伸する石膏ボード製で横長矩形状の底面天井板１５と、底板１４の下面の短手方向に沿って幅広部側が固着される軽量溝形鋼製の底板補強材２２と、底板補強材１１の前面板とは反対側の一端、すなわち底板１４の辺縁に相当する箇所が直角に折り返されるように上方向に延伸する軽量溝形鋼製の取付補強材２３と、底板補強材１１の前面板側である他端が直角に折り返されるように上方向に延伸する軽量溝形鋼製の前面板補強材２１と、から構成されていて、前面板１１、水平連結板１２および内面板１３は前面板補強材２１を囲繞し、底面天井板１５は底板補強材１１の下面に張着されている。なお、これらの構成部材は予め工場等で組み立てられてユニット化されている。
【００１７】
ユニット部品１では、前面板１１、水平連結板１２、裏面板１３、底板１４および底面天井板１５に厚さ１２．５ｍｍの石膏ボードを使用し、前面板補強材２１、底板補強材２２および取付補強材２３には野縁受として使用されるウェブ面（幅広部）３８ｍｍ×フランジ面（幅狭部）１２ｍｍの軽量溝形鋼を使用していて、軽量溝形鋼の溝内には石膏ボードが埋入されて糊着されている。図３は取付補強材２３が取付補強材本体２３１および取付補強材の埋入体２３２から構成されていることを示しているが、底板補強材２２も同様の構成である。なお、軽量溝形鋼に代えて、例えば幅広部４０ｍｍ×幅狭部１６ｍｍの軽量角パイプを使用しても良い。
【００１８】
なお、底板１４および裏面板１３の折り返し部、裏面板１３および水平連結板１２の折り返し部、水平連結板１２および前面板１１の折り返し部、前面板１１および底面天井板１５の折り返し部は、１枚の石膏ボードの表面あるいは裏面の原紙を残してＶ字溝を形成し、そのＶ字溝を直角に折り曲げることにより形成されている。
【００１９】
ユニット部品１の長さＷは石膏ボードの規格幅と同一の９１０ｍｍであり、底板補強材２２、取付補強材２３および前面板補強材２１は等間隔に９１０／（ｎ＋０．５）（ただし、ｎは整数でｎ≧２。）ピッチに配置されていて、ｎ＝２の場合は略３６０ｍｍとなり、ｎ＝３の場合は２６０ｍｍとなる。なお、ユニット部品１の幅（底面天井板１５の幅）および前面板１１の高さは、載置する灯具の種類によっても異なるし、設計者の意向によっても異なるが、底面天井板１５を張着しているユニット部品１では、灯具の載置面である底板１４の上面から下り天井板３２の表面までの距離は、底板１４の厚さ１２．５ｍｍ＋底板補強材２２の厚さ１２ｍｍ＋底面天井板１５の厚さ１２．５ｍｍ＝３７ｍｍ、となり、従来例の７０ｍｍの略１／２となって前面板１１の高さを小さくすることが可能となる。
【００２０】
ユニット部品１の長さ方向の両端縁部には、それぞれ雄型ジョイント部７および雌型ジョイント部８が形成されている。雄型ジョイント部７は平面から見て一直線状となった前面板１１、水平連結板１２、内面板１３、底板１４および底面天井板１５の長手方向の縁部から一体となった前面板補強材２１、底板補強材２２および取付補強材２３の幅方向の１／２程度が外側に突き出した状態となっている一方、雌型ジョイント部８は平面から見て一直線状となった前面板１１、水平連結板１２、内面板１３、底板１４および底面天井板１５の長手方向の縁部が一体となった前面板補強材２１、底板補強材２２および取付補強材２３よりも外側に突き出した状態となっている。そして、一のユニット部品１の雄型ジョイント部７の前面板補強材２１が他のユニット部品１の雌型ジョイント部８の前面板１１、水平連結板１２および内面板１３が形成する空間に挿入されるとともに、雄型ジョイント部７の底板補強材２２上に雌型ジョイント部８の底板１４が載置されて接続される。
【００２１】
つぎに、ユニット部品１の壁面への取り付け方について説明するが、まず、ユニット部品１が取り付けられる壁の軽鉄下地について概説すると、壁の軽鉄下地は、床のコンクリート面および天井のコンクリート下面にランナーと呼ばれるコの字状の軽鉄を固着して、天井面のランナーと床面のランナーとの間にスタッドと呼ばれる軽量溝形鋼製の壁軽鉄下地の建地３５を所定ピッチで垂設することで形成され、さらにその上から石膏ボードを張着することにより、壁面が形成される。なお、下り天井により天井に段差部分が形成されている場合のユニット部品１の取り付け方については、実施例５を参照されたい。
【００２２】
ユニット部品１を使用する間接照明用構造体は以下の手順で取り付けることができる。すなわち、
（１）現場の壁軽鉄下地の建地３５のピッチをユニット部品１の取付補強材２３のピッチに合わせて配置する。
（２）ユニット部品１が所定の高さとなるようにして壁軽鉄下地の建地３５に取付補強材２３を当接させて、取付補強材２３の上からドリルビスで壁軽鉄下地の建地３５に螺着させる。なお、取付補強材２３と壁軽鉄下地の建地３５がずれているような場合には、壁軽鉄下地の建地３５をずらして合わせることができる。
（３）ユニット部品１が固定されると他のユニット部品１を接続して固定する。その後、石膏ボード張り作業に移行し、壁や天井の石膏ボード張り作業とともに、取付補強材２３に石膏ボードが張着されて背面板３１となる。
以上の工程を経て、間接照明用構造体が形成され、その後は仕上げ作業に移行し、最終工程で図示外の灯具が底板１４に載置される。
【実施例２】
【００２３】
つぎに、実施例２に係るユニット部品２について、図４を参照して説明するが、ユニット部品２の構成と取付手順はユニット部品１と略同様であるので、異なる構成についてのみ説明する。
【００２４】
ユニット部品２の前面が石膏ボード製で横長矩形状の前面板１１と、前面板１１の上辺に沿って折り返されて裏側に延伸する石膏ボード製で横長矩形状の水平連結板１２と、水平連結板１２の延伸側の辺に沿って折り返されて垂下する石膏ボード製で横長矩形状の内面板１３と、から構成され、前面板１１、水平連結板１２、内面板１３および底面天井板１５の折り返し部分は、石膏ボードの表面の原紙を残してＶカットして直角に折り返されていることはユニット部品１と同様であるが、前面板１１および内面板１３は折り返されて互いに密着している。
【００２５】
この構成により、水平連結板１２の幅は２５ｍｍ（１２．５ｍｍ＋１２．５ｍｍ）となって、ユニット部品１の水平連結板１２の幅の３７ｍｍ（１２．５ｍｍ＋１２ｍｍ＋１２．５ｍｍ）よりも狭くすることができる。一方で、前面板補強材２１が挿入されていないので、底板１４から水平連結板１２の表面、すなわち、前面板１１の高さは略５０ｍｍ以下とすることが好ましい。なお、一のユニット部品２と他のユニット部品２との接続では、一のユニット部品２の底板補強材２２に他のユニット部品２の底板１１が載置される程度となるが、前面板１１の高さが低いので、前面板１１同士の目違いが生じても極めて微少なものとなる。
【実施例３】
【００２６】
つぎに、実施例３に係るユニット部品３について、図１、図５および図６を参照して説明するが、ユニット部品３の断面から見た構成はユニット部品１と略同様であり、異なっているのは水平連結板１２、内面板１３および底板１４の構成であるものの、図１における底面天井板１５は構成部材とはなっていない。ここでは異なるこれらの構成についてのみ説明する。
【００２７】
平面から見たユニット部品３は、水平連結板１２、内面板１３および底板１４の隣接する底板補強材２２の間に２本の第１のスリット２５が前面板１１の厚さ相当分を残して等間隔に全断面に亘って貫設されていて、底板補強材２２に支持されていない底板１４は取り去られたような形状となっていて、さらに第１のスリット２５、２５間にも第２のスリット２６が水平連結板１２および内面板１３に前面板１１の厚さ相当分を残して貫設されている形状となっている。第１のスリット２５および第２のスリット２６は略等間隔であって、そのスリット幅は略２ｍｍないし１０ｍｍとなっている。そして、第１のスリット２５および第２のスリット２６は、図６に示すように内面板１３の前面板側の原紙２６２を残したＶ字溝２６１で形成されている。
【００２８】
なお、ユニット部品３にも雄型ジョイント部７および雌型ジョイント部８が形成されていることは勿論であり、これ以外のユニット部品３の構成部品についても、ユニット部品１と同様の構成となっているのでその説明を省略する。また、水平連結板１２、内面板１３および底板１４自体の構成をユニット部品２と同様にすることができるのは勿論である。
【００２９】
ところで、ユニット部品３の長さはユニット部品１と同様の９１０ｍｍであるが、底板補強材２２、取付補強材２３および前面板補強材２１のピッチは９１０／４≒２２５ｍｍあるいは９１０／５≒１８０ｍｍとしていて、第１のスリット２５および第２のスリット２６の間隔は、２２５ｍｍ／４≒５６ｍｍ、あるいは１８０ｍｍ／４＝４５ｍｍとなっている。これはユニット部品３が主に外側に向かって凸の凸曲壁面に使用することを前提としているためであり、第１のスリット２５および第２のスリット２６の間隔を４５ｍｍとした場合には、曲率半径を３００ｍｍとすることができる。
【００３０】
このような小さな曲率半径でも前面板１１はスムーズな曲面を描いていて、底板１４が設置されている箇所であっても、底板１４に拘束されることなく前面板１１はスムーズな曲面を形成し、前面板１１にひび割れが生じないことは実物で確認できた。また、第２のスリット２６は、内面板１３の前面板１１側の原紙２６２を残したＶ字溝２６１で形成されているため、互いに細かく分断された内面板１３であっても、内面板１３同士は原紙２６２で繋がっている。これにより、内面板１３の内面側は出入りのない状態となって個々の「暴れ」を防ぐことができる。
【００３１】
また、ユニット部品３の壁面への取り付け方については、ユニット部品１の壁面への取り付け方と略同様であり、ニット部品３を使用する間接照明用構造体の組立方法もユニット部品１と略同様であるので、その説明を省略する。なお、下り天井により天井に段差部分が形成されている場合のユニット部品３の取り付け方については、実施例６を参照されたい。
【実施例４】
【００３２】
つぎに、実施例４に係るユニット部品４について、図７を参照して説明するが、ユニット部品４の構成と取付手順はユニット部品３と略同様であるので、異なる構成についてのみ説明する。
【００３３】
平面から見たユニット部品４は、水平連結板１２、内面板１３および底板１４の隣接する底板補強材２２の間に１本の第１のスリット２５が前面板１１の厚さ相当分を残して等間隔に全断面に亘って貫設された形状となっている。したがって、すべての底板１４は底板補強材２２で支持されている。また、ユニット部品４にも雄型ジョイント部７および雌型ジョイント部８が形成されていることは勿論であり、これ以外のユニット部品４の構成部品についても、ユニット部品１と同様の構成となっているのでその説明を省略する。なお、図１における底面天井板１５は構成部材とはなっていない。また、水平連結板１２、内面板１３および底板１４自体の構成をユニット部品２と同様にすることができるのは勿論である。
【００３４】
上記の構成により、ユニット部品４は、主に外側に向かって凹んだ凹曲壁面に使用することに適したユニット部品となる。また、ユニット部品４の壁面への取り付け方については、ユニット部品１またはユニット部品３の壁面への取り付け方と略同様であり、ユニット部品４を使用する間接照明用構造体の組立方法もユニット部品１またはユニット部品３と略同様であるので、その説明を省略する。
【実施例５】
【００３５】
つぎに、実施例５に係るユニット部品５について、図８を参照して説明するが、ユニット部品５の構成はユニット部品１と略同様であるので、異なる構成についてのみ説明すると、ユニット部品５では、ユニット部品１に加えて背面板３１が構成部材となっている。この背面板３１は底板１４の壁側が天井方向に折り返されて上方に延伸する石膏ボード製であり、取付補強材２３に張着されていて、この取付補強材２３はユニット部品１の取付補強材２３よりも上方に長く延伸している。そして、背面板３１および底板１４の折り返し部は、１枚の石膏ボードの裏面の原紙を残してＶ字溝を形成し、そのＶ字溝を直角に折り曲げることにより形成されている。
【００３６】
ここで、ユニット部品５を使用した天井の段差部分の施工方法について、説明する。
（１）吊りボルト３９に嵌着金具を介して軽量溝形鋼の野縁受３８を吊設して、さらに野縁受３８と直交するように野縁受３８から嵌着金具を介して軽量形鋼の野縁３７を吊設して天井および下り天井の軽鉄下地を組み立てる。
（２）天井の軽鉄下地を構成する野縁受３８に直交してまたは野縁受３８に平行に定規となる定規野縁受３３を天井の段差部分の位置に合わせて固着する。図８は定規野縁受３３を野縁受３８に直交して固着する例を示していて、定規野縁受３３を野縁受３８に載置して嵌着金具で固定している。定規野縁受３３を野縁受３８に平行に固着する場合は、野縁受３８に直交して複数の捨て野縁受を固着し、さらに、この複数の捨て野縁受から定規野縁受３３を吊設するようにする。この定規野縁受３３の固着の位置如何により、ユニット部品５の平面的な位置の精度は決定される。
（３）ユニット部品５の底板補強材２２の下面と下り天井の野縁３７の下面のレベルが同一となる（面一になる）ように定規野縁受３３に取付補強材２３をレベル調整しながら押しつけ、螺着して固定する。なお、この場合、ユニット部品５同士のジョイント部分に位置する取付補強材２３と定規野縁受３３を、野縁受同士が垂直面で直交する箇所に使用する市販の「下り壁上部止金具」を使用してユニット部品５のレベルを微調整しながら仮固定し、仮固定後にそれぞれの取付補強材２３を定規野縁受３３に螺着することで容易に所定のレベルでユニット部品５を固着することができる。
（４）ユニット部品５の底面天井板１５については、図１よりも内側（図１の左側）に延伸しているので、延伸している先端部を下り天井の野縁３７であるＭバーにビス止めする。これによりユニット部品５は間接照明用構造体としての強度を有するようになる。そして、下り天井板３２および天井板３６を張着すると、天井段差部の間接照明用構造体が完成する。
なお、ユニット部品５に代えて予め背面板を張着したユニット部品２を使用しても良いことは勿論である。
【実施例６】
【００３７】
つぎに、実施例６に係るユニット部品６について、図９を参照して説明するが、ユニット部品６の構成はユニット部品３、ユニット部品４と同様であり、異なるところは取付補強材２３がユニット部品３、ユニット部品４の取付補強材２３よりも上方に長く延伸し、所定の曲率半径を有する第１の曲線定規野縁受３４１をユニット部品３の取付補強材２３の下部に螺着している点にある。
【００３８】
ここで、ユニット部品６を使用した天井の段差部分の施工方法について、図９を基に説明する。
（１）所定の曲率半径を有する第１の曲線定規野縁受３４１により、ユニット部品６はの所定の曲率半径を有する間接照明用構造体のユニット部品となっている。
（２）吊りボルト３９に嵌着金具を介して軽量溝形鋼の野縁受３８を吊設して、さらに野縁受３８と直交するように野縁受３８から嵌着金具を介して軽量形鋼の野縁３７を吊設して天井および下り天井の軽鉄下地を組み立てる。
（３）天井の軽鉄下地を構成する野縁受３８に直交してまたは野縁受３８に平行に定規となる第２の曲線定規野縁受３４２を天井の段差部分の位置に合わせて固着する。なお、第２の曲線定規野縁受３４２は第１の曲線定規野縁受３４１と同一形状である。図９は第２の曲線定規野縁受３４２を野縁受３８に直交して固着する例を示していて、第２の曲線定規野縁受３４２は野縁受３８に載置して嵌着金具で固定している。第２の曲線定規野縁受３４２を野縁受３８に平行に固着する場合は、野縁受３８に直交して捨て複数の野縁受を固着し、さらに、この複数の野縁受から第２の曲線定規野縁受３４２を吊設するようにする。この第２の曲線定規野縁受３４２の定規野縁受３３の固着の位置如何により、ユニット部品３の平面的な位置の精度は決定される。
（４）ユニット部品６の底板補強材２２の下面と下り天井の野縁３７の下面のレベルが同一となるように第２の曲線定規野縁受３４２に取付補強材２３をレベル調整しながら押しつけ、螺着して固定する。なお、前述と同様に、ユニット部品６同士のジョイント部分に位置する取付補強材２３を微調整しながら仮固定し、仮固定後にそれぞれの取付補強材２３を第２の曲線定規野縁受３４２に螺着することで容易に所定のレベルでユニット部品６を固着することができる。
（５）底面天井板１５、背面板３１、下り天井板３２および天井板３６を張着する。
なお、ユニット部品６に代えてユニット部品４を使用しても良いことは勿論であるし、ユニット部品５と組み合わせることにより、平面的に見て様々な曲線や直線を有する天井の段差部の施工も可能であることは勿論である。
【符号の説明】
【００３９】
１  実施例１に係るユニット部品
２  実施例２に係るユニット部品
３  実施例３に係るユニット部品
４  実施例４に係るユニット部品
５  実施例５に係るユニット部品
６  実施例６に係るユニット部品
７  雄型ジョイント部
８  雌型ジョイント部
１１  前面板
１２  水平連結板
１３  内面板
１４  底板
１５  底面天井板
２１  前面板補強材
２２  底板補強材
２３  取付補強材
２３１  取付補強材本体
２３２  取付補強材の埋入体
２５  第１のスリット
２６  第２のスリット
２６１  Ｖ字溝
２６２  内面板の原紙
３１  背面板
３３  定規野縁受
３４１  第１の曲線定規野縁受
３４２  第２の曲線定規野縁受
【要約】
【課題】天井や壁が仕上がった後からであっても簡単に設置でき、しかも、きれいな稜線を得ることができるばかりでなく、曲壁面にも設置可能であり、その上、前面板の見付け幅を小さくすることで軽快感をも演出可能な間接照明構造体を構成するユニット部品を提供する。
【解決手段】石膏ボード製で横長矩形状の前面板と、該前面板の上辺に沿って折り返されて壁側に延伸する水平連結板と、該水平連結板の延伸側の辺に沿って折り返されて垂下する内面板と、該内面板の下辺に沿って折り返されて内側に水平に延伸する底板と、断面が幅広部および幅狭部からなる軽鉄であって該底板の下面の短辺方向に幅広部が固着される底板補強材と、その一端が直角に折り返されるように上方向に延伸する取付補強材と、からなり、両端部にはそれぞれ底板補強材が突き出た雄型ジョイント部および底板が突き出た雌型ジョイント部が形成される、構成とした。
【選択図】図１【図１】
0005861903.tif 000002
【図２】
0005861903.tif 000003
【図３】
0005861903.tif 000004
【図４】
0005861903.tif 000005
【図５】
0005861903.tif 000006
【図６】
0005861903.tif 000007
【図７】
0005861903.tif 000008
【図８】
0005861903.tif 000009
【図９】
0005861903.tif 000010
【図１０】
0005861903.tif 000011